(57)【要約】  【課題】  ビル内に電磁遮蔽空間を、低コストで簡単に構築することが可能な間仕切のフレーム構造を提供する。  【解決手段】  遮蔽する空間の天井面と床面とを除く四面を、上ランナーと下ランナーとスタッドによるフレーム構造によって間仕切り、スタッドを接続板により相互に接続し、上下ランナーの任意の部分をビル内部の鉄骨とワイヤーにより接続し、フレーム構造を大地に接地する。上ランナーとスタッドと接続板とで仕切られる矩形状の領域の対角線の長さ及び下ランナーとスタッドと接続板とで仕切られる矩形状の領域の対角線の長さ並びにスタッドと接続板とで区切られる矩形状の領域の対角線の長さは、電磁遮蔽する電波の波長以下とする。【選択図】  図１
2007177389.tif 000002
【特許請求の範囲】
【請求項１】
天井面に固定される金属製の上ランナーと、床面に固定される金属製の下ランナーと、上下に延在して前記上ランナーと前記下ランナーとの間に配設される複数の金属製のスタッドと、当該複数のスタッドを電気的に接続し当該スタッドと垂直方向に配設される複数の金属製の接続板とからなる間仕切のフレーム構造であって、
電磁遮蔽する空間の天井面と床面とを除く四方の面に、前記上ランナーと前記下ランナーと前記スタッドと前記接続板とが配設され、
前記上ランナー及び前記下ランナーは、帯状で直線状に延在する金属製平板からなる基部と、当該基部の延在方向に間隔を置き当該基部から突出された複数の金属製凸部とで構成されており、
前記スタッドは前記凸部と嵌合可能に構成され、
前記上ランナー同士及び前記下ランナー同士は電気的に相互に接続され、
前記上ランナーと前記スタッドと前記接続板とで仕切られる矩形状の領域の対角線の長さ及び前記下ランナーと前記スタッドと前記接続板とで仕切られる矩形状の領域の対角線の長さ並びに前記スタッドと前記接続板とで仕切られる矩形状の領域の対角線の長さは、遮蔽する電波の波長以下に設定され、
前記上ランナー及び／又は前記下ランナーがビル内部の鉄骨と電気的に接続されていることを特徴とする間仕切のフレーム構造。
【請求項２】
天井面に固定される金属製の上ランナーと、床面に固定される金属製の下ランナーと、上下に延在して前記上ランナーと前記下ランナーとの間に配設される複数の金属製のスタッドと、当該複数のスタッドを電気的に接続し当該スタッドに沿って配設される金網とからなる間仕切のフレーム構造であって、
電磁遮蔽する空間の天井面と床面とを除く四方の面に、前記上ランナーと前記下ランナーと前記スタッドと前記金網とが配設され、
前記上ランナー及び前記下ランナーは、帯状で直線状に延在する金属製平板からなる基部と、当該基部の延在方向に間隔を置き当該基部から突出された複数の金属製凸部とで構成されており、
前記スタッドは前記凸部と嵌合可能に構成され、
前記上ランナー同士及び前記下ランナー同士は電気的に相互に接続され、
前記金網は前記四方の面に取り付けられ、前記金網の一つの網目の対角線の長さは、遮蔽する電波の波長以下に設定され、
前記上ランナー及び／又は前記下ランナーがビル内部の鉄骨と電気的に接続されていることを特徴とする間仕切のフレーム構造。
【請求項３】
天井面に固定される金属製の上ランナーと、床面に固定される金属製の下ランナーと、上下に延在して前記上ランナーと前記下ランナーとの間に配設される複数の金属製のスタッドと、当該複数のスタッドを電気的に接続し当該スタッドに沿って配設される金属泊とからなる間仕切のフレーム構造であって、
電磁遮蔽する空間の天井面と床面とを除く四方の面に、前記上ランナーと前記下ランナーと前記スタッドと前記金属泊とが配設され、
前記上ランナー及び前記下ランナーは、帯状で直線状に延在する金属製平板からなる基部と、当該基部の延在方向に間隔を置き当該基部から突出された複数の金属製凸部とで構成されており、
前記スタッドは前記凸部と嵌合可能に構成され、
前記上ランナー同士及び前記下ランナー同士は電気的に相互に接続され、
前記金属泊は前記四方の面に貼り付けされ、
前記上ランナー及び／又は前記下ランナーがビル内部の鉄骨と電気的に接続されていることを特徴とする間仕切のフレーム構造。
【請求項４】
前記スタッドは、中空状の金属部材により直線上に延在して形成され、当該スタッドの両端はそれぞれ前記金属製の凸部に嵌合可能であって、前記凸部に嵌合されることで当該スタッドの延在する方向と直交する面上において位置決めされ、前記下ランナーの凸部と前記スタッドの下端は、それらを嵌合させるとその嵌合状態が保持される嵌め合いで形成され、前記上ランナーの凸部と前記スタッドの上端は、前記凸部が嵌合する方向に摺動可能に形成されていることを特徴とする請求項１乃至請求項３の何れかに記載の間仕切のフレーム構造。
【請求項５】
前記上ランナー及び前記下ランナーの各凸部を、それらの基部が前記スタッドの両端に当接するまで嵌合させた状態において、前記上ランナーの上面と前記下ランナーの下面との間の距離は、天井面と床面との間の距離よりも短く、かつ床面上に倒した状態から前記下ランナーの下面を床面上に置いて前記上ランナーが天井面側に位置するように起立できる寸法で形成され、さらに前記上ランナーの凸部を前記スタッドとの嵌合状態を保ちつつ抜き出した状態において、前記上ランナーの上面と前記下ランナーの下面との間の距離は天井面と床面との間の距離に等しくなる寸法で形成されることを特徴とする請求項１乃至請求項４の何れかに記載の間仕切のフレーム構造。
【請求項６】
前記凸部は、金属製の平板が門型に屈曲され、当該平板の両端部が前記基部に接合して構成されることを特徴とする請求項１乃至請求項５の何れかに記載の間仕切のフレーム構造。
【請求項７】
前記スタッドは、角形の金属中空パイプであることを特徴とする請求項１乃至請求項６の何れかに記載の間仕切のフレーム構造。
【請求項８】
前記基部の延在方向に間隔を置いた複数箇所に矩形状の窓が貫通形成され、前記窓の対向する二組の角部のうちの一組の角部に、前記基部の幅方向の中心を通り前記基部の延在方向に延在する中心線が位置していることを特徴とする請求項１乃至７の何れかに記載の間仕切のフレーム構造。
【請求項９】
電磁遮蔽する空間の天井面は、
当該天井面の外周を囲む前記上ランナーに前記接続板を縦横に接続して構成され、前記接続板によって仕切られる矩形状の領域の対角線の長さは遮蔽する電磁波の波長以下であること、又は
当該天井面の外周を囲む前記上ランナーに前記金網を配設して構成され、当該金網の一つの網目の対角線の長さは遮蔽する電磁波の波長以下であること、又は
当該天井面の外周を囲む前記上ランナーに前記金属泊を配設して構成されること、
を特徴とする請求項１乃至請求項８の何れかに記載の間仕切のフレーム構造。
【請求項１０】
電磁遮蔽する空間の床面は、
当該床面の外周を囲む前記下ランナーに前記接続板を縦横に接続して構成され、前記接続板によって仕切られる矩形状の領域の対角線の長さは遮蔽する電磁波の波長以下であること、又は
当該床面の外周を囲む前記下ランナーに前記金網を配設して構成され、当該金網の一つの網目の対角線の長さは遮蔽する電磁波の波長以下であること、又は
当該床面の外周を囲む前記下ランナーに前記金属泊を配設して構成されること、
を特徴とする請求項１乃至請求項９の何れかに記載の間仕切のフレーム構造。
【請求項１１】
電磁遮蔽する空間内に、携帯電話用の中継器を配置し、前記電磁遮蔽する空間の内部と外部とで、前記携帯電話の通話を可能としたことを特徴とする請求項１乃至請求項１１の何れかに記載の間仕切のフレーム構造。
【請求項１２】
前記金網は、パンチングメタルで構成して成り、当該パンチングメタルの穴形状が矩形状の場合はその対角線の長さが、又は円形状の場合はその直径が、又は楕円形状の場合はその長軸径が遮蔽する電磁波の波長以下であることを特徴とする請求項２又は請求項９又は請求項１０記載の間仕切のフレーム構造。
【請求項１３】
前記金属泊は、導電性塗料を塗布して成ることを特徴とする請求項３又は請求項９又は請求項１０記載の間仕切のフレーム構造。
【発明の詳細な説明】
【技術分野】
【０００１】
本発明は間仕切のフレーム構造に関し、特にビルの一空間を低コストで電磁遮蔽する間仕切のフレーム構造に関する。
【背景技術】
【０００２】
高度情報化時代にあって、事務所等が入っているビルディング（以下、単にビルと略する）は、高度情報化に対応できるように構築されている。例えば、一般の環境管理やビル管理機能の他に、オフィスオートメーション、データ処理、テレコミニュケーション等の情報通信設備を備えている。
【０００３】
高度情報化に対応したビルとビルとのデータの送受信は、光ファイバを用いた高速大容量通信や通信ケーブルを用いたギガビット、テラビット伝送等により行われている。ビルの内部では、複数台のパソコンを相互に接続して、インターネットや電子メールの送受信が行われるように構成されている。その他にも、高度情報化に対応したビルの内部では、その他の各種の電子機器が配置され、それらを制御するための制御信号の送受信等が、配設された通信ケーブル等により行われるように構成されている。
【０００４】
さらにビルの内部には、例えばオフィス、会議室、研究所、工場等が設けられており、例えば、研究所内では、パソコンやプリンタ、スキャナ、サーバ等の電子機器が多数設置され、それらの電子機器が専用のケーブル等によって相互に接続され、制御可能なように構成されている。
【０００５】
専用のケーブル等による各種電子機器の接続は、接続する電子機器の増加、機器の高性能化等によって複雑化し、ケーブルの誤配線や断線等の問題が発生し、各種電子機器の保守管理が一層難しくなってきている。そこで近年、有線のケーブルを廃止して無線での接続を行う、所謂無線ＬＡＮや無線ネットワーク等が活発化している。
【０００６】
無線によるネットワークを構築した場合は、各電子機器とのデータの送受信は、簡単な送受信機を各電子機器に接続するだけで可能となり、有線ケーブル等が不必要となるので有用である。例えば、複数台のパソコンを相互に接続するためには、無線ルータ等を使用すれば良く、この無線ルータを用いてインターネットや電子メールの遣り取りが可能となる。
【０００７】
しかし、ビル内の一空間で無線ネットワークを構築するためには、使用する無線の周波数帯を適切に選択する必要がある。つまり、ビル内の一空間から電波が漏れるため、使用する電波は電波法で管理されたものを使用しなければならない。勝手に周波数帯を選んで使用すれば、例えば近くのビル内に設置されている医療機器に悪影響、例えば誤動作、動作停止、焼損を与えたりする。医療機器の誤動作等は人命に影響するので絶対に防がねばならない。その他にも、漏れた電波によって種々の電子機器の誤動作を招いたりする。従って、使用できる周波数帯は限定され、自由に選択することは不可能である。
【０００８】
また、ビルの構造によっては、隣の間仕切った空間（部屋）に電波が漏れることもあるので、電波法で管理されている電波であって、その周波数や強度が所定のものであっても隣り合う部屋では同一の周波数帯が使用できないというケースもある。さらに電波が漏れることからデータや会話等が盗聴されるという問題も発生する。
【０００９】
その他にも、ビルの外部から侵入する電波により、ビル内の一空間での無線ネットワーク、無線通信網が妨害されることも生じ得る。データの送受信を行っている場合に、このような妨害電波が侵入すると、現在送受信しているデータは破棄しなければならず、データの送受信に高いコストが発生している場合、送受信するデータの緊急性が問われている場合には、この妨害電波によるデータ送受信の停止は問題となる。
【００１０】
そこで、ビル内の一空間を電磁遮蔽材で覆って、所謂電波暗室或いは電磁遮蔽空間を構成し、使用している電波が漏れないように、かつ外部から妨害電波が侵入しないような考案がなされている。
【００１１】
特許文献１の電磁シールド・インテリジェントビルには、電磁シールド部材を入れたコンクリートによりビルの躯体を構成し、該ビル内の通信機器間で電波を使って通信を行う技術が開示されている。
【００１２】
電磁シールド部材を入れたコンクリートは、フェライト入りコンクリート又はメッシュ入りコンクリートであって、このようなコンクリートでビルの躯体を構築すれば、コンクリートで区切られた各室は電磁遮蔽空間或いは電波暗室となり、無線による電子機器間の通信が可能である。さらに、外部からの妨害電波等の侵入も防げる構成である。係る電磁遮蔽空間では、使用する電波がビルの外部に漏れないため、任意に周波数帯を選択することができることになる。
【００１３】
しかしながら、電磁シールド部材を入れたコンクリートによって、ビル全体を電磁遮蔽空間とすることは、大掛かりであってコストが高く付くことになる。然も、電磁遮蔽する必要がない空間までを電磁遮蔽することになり、その内部にある携帯電話とビル外部の携帯電話或いは中継器との接続ができないという不具合が発生する。
【００１４】
また特許文献２のインテリジェントビルには、床構造を二重にし、床下空間の内側を電磁遮蔽材で覆って電磁遮蔽空間を構成し、この床下空間に通信ラインに接続する中継器と端末に接続する伝送器を設置する技術が開示されている。この方法によって、コストを抑え簡単な施工により信頼性の面でも十分対応できるインテリジェントビルが構築されることになると主張している。この開示されている方法によれば、床下空間が電磁遮蔽空間となっているので、無線による電子機器間の通信が可能である。さらに、外部からの妨害電波等の侵入も防げる構成である。従って、係る電磁遮蔽空間では、使用する電波がビルの外部に漏れないため、任意に周波数帯を選択することができることになる。また、隣り合う部屋同士で同一の周波数帯の電波も使用可能であり、非常に有用であると言える。
【００１５】
しかしながら、床構造を二重にし床下空間の内側を電磁遮蔽材で覆うことはコスト高となることは否めない。然も、中継器や伝送器（送受信機）が床下空間に設置されているため、それら中継器及び伝送器と、遮蔽空間外部の各電子機器との接続が容易ではなく、保守管理も厄介である。
【００１６】
さらに、特許文献３の電波吸収体によれば、例えば電界制御により光を透過させたり、遮断したりすることができる液晶板を用い、電波も遮蔽できるように構成した光、電波遮蔽体を、室内無線設備等を保有するビル等において、その間仕切り材等に用いれば極めて効果的であることが記載されている。確かに、そのような電磁遮蔽体で空間を覆えば、電波暗室が構成されることになる。
【００１７】
しかしながら、そのような電磁遮蔽体が極めて効果的であっても、その電磁遮蔽体により遮蔽したい空間全体を覆うことはコストが高く付き、その作業も容易なことではない。従って、低コストで簡単に電磁遮蔽空間を構築することは難しい。
【００１８】
【特許文献１】特開昭６２−１１２８４５号公報
【特許文献２】特開平８−３３８１２２号公報
【特許文献３】特開２００２−２５６７８１号公報
【発明の開示】
【発明が解決しようとする課題】
【００１９】
上述したような従来技術のどれを採っても、電磁遮蔽空間を低コストで簡単に構築することにはかなりの困難性を伴っていた。
【００２０】
従って本願発明は、以上の従来技術における問題に鑑みてなされたものであって、低コストで簡単に電磁遮蔽する空間を構築することができる、間仕切のフレーム構造を提供することを目的とする。
【課題を解決するための手段】
【００２１】
本願発明の間仕切のフレーム構造は、天井面に固定される金属製の上ランナーと、床面に固定される金属製の下ランナーと、上下に延在して前記上ランナーと前記下ランナーとの間に配設される複数の金属製のスタッドと、当該複数のスタッドを電気的に接続し当該スタッドと垂直方向に配設される複数の金属製の接続板とからなる間仕切のフレーム構造であって、電磁遮蔽する空間の天井面と床面とを除く四方の面に、前記上ランナーと前記下ランナーと前記スタッドと前記接続板とが配設され、前記上ランナー及び前記下ランナーは、帯状で直線状に延在する金属製平板からなる基部と、当該基部の延在方向に間隔を置き当該基部から突出された複数の金属製凸部とで構成されており、前記スタッドは前記凸部と嵌合可能に構成され、前記上ランナー同士及び前記下ランナー同士は電気的に相互に接続され、前記上ランナーと前記スタッドと前記接続板とで仕切られる矩形状の領域の対角線の長さ及び前記下ランナーと前記スタッドと前記接続板とで仕切られる矩形状の領域の対角線の長さ並びに前記スタッドと前記接続板とで仕切られる矩形状の領域の対角線の長さは、遮蔽する電波の波長以下に設定され、前記上ランナー及び／又は前記下ランナーがビル内部の鉄骨と電気的に接続されていることを特徴とする。
【００２２】
前記上ランナーと前記下ランナーと前記スタッド及び前記接続板とからなるフレーム構造が、遮蔽する空間の天井面と床面とを除く四方の面に配置される。ここで、天井面と床面とは、例えば電磁遮蔽材入りのコンクリートで構成されているものとする。
【００２３】
前記上ランナーと前記下ランナーは、基部と凸部とからなる。前記基部は、金属製の平板からなり、厚さ及びその幅は遮蔽する空間の大きさ、使用する下地材や壁材の材質、重量等を考慮して適宜決定することができる。前記基部の材質は鉄、銅、アルミニュウム等から適宜選択できる。コストを考慮すると鉄が一番望ましい。
【００２４】
前記凸部は、前記基部に所定の間隔を置いて設けられるが、当該凸部は金属製であって、後述するスタッドがこの凸部に嵌合して、スタッドの位置決めが為されるものである。この凸部の寸法、材質、表面荒さ等は、スタッドや上下ランナーの基部との関係で適宜決めることができる。例えば、凸部は前記基部と同じ材質の金属板で箱形、門型に形成しその両端部を前記基部にボルト締め、スポット溶接、リベット止め、釘等によって取り付けることができる。また、凸部は金属の中実体であっても構わないが、上下ランナーの重量を考慮すると中空体が望ましい。
【００２５】
前記スタッドは、金属部材により直線状に延在して形成され、当該スタッドの両端はそれぞれ前記金属製の凸部に嵌合可能なように構成されている。
前記接続板は、前記スタッドを電気的に接続し、当該スタッドと垂直方向に配設される金属製の平板である。材質及び幅等は適宜決めることができる。当該接続板は、後述するように、前記上ランナーと前記スタッドと当該接続板とで仕切られる矩形状の領域の対角線の長さ及び前記下ランナーと前記スタッドと当該接続板とで仕切られる矩形状の領域の対角線の長さ並びに前記スタッドと当該接続板とで仕切られる矩形状の領域の対角線の長さが、遮蔽する電波の波長以下となるように、一以上前記スタッドと直角方向でかつ複数のスタッドに沿って配置して接続される。前記接続板とスタッドとの電気的な接続は、スポット溶接、ボルト締め、リベット止め等の方法から適宜選択することができる。
【００２６】
天井面及び床下面は、それぞれその外周は上ランナー及び下ランナーによって囲まれる。このとき、前記上ランナー同士及び前記下ランナー同士を繋ぎ合わせて配置して行くとき、接続の部分では上ランナー同士及び下ランナー同士が必ず電気的に接続されるように、それぞれの端部が重なり合うようにすることが重要である。
【００２７】
前記上ランナーと前記スタッドと前記接続板とで仕切られる矩形状の領域の対角線の長さ及び前記下ランナーと前記スタッドと前記接続板とで仕切られる矩形状の領域の対角線の長さ並びに前記スタッドと前記接続板とで仕切られる矩形状の領域の対角線の長さは、遮蔽する電磁波の波長以下に設定する。予め遮蔽する電磁波の周波数帯が決まっているなら、上記の関係を満足するように前記凸部の間隔や前記接続板の配設する間隔を決めることが必要である。例えば、３００Ｍｈｚの電波を遮蔽する場合、前述の矩形状の領域が正方形になるように、前記上ランナーと前記下ランナーと前記スタッドと前記接続板とを配設したとすると、前記凸部の間隔及び前記接続板の間隔は、略０．７１ｍとなる。これは、波長をλ、周波数をｆ、光速をｃとすると、ｃ＝ｆ・λの関係から求めることができる。
【００２８】
前記上ランナー及び／又は前記下ランナーはビル内部の鉄骨と電気的に接続される。接続箇所は前記上ランナー又は前記下ランナーの任意の箇所で良い。前記上ランナーと前記下ランナーの両方を鉄骨に接続しても良い。鉄骨との接続はケーブル、ワイヤー等を使用することができる。上下ランナーの基部を延長して鉄骨と接続しても良い。
【００２９】
従って、本願発明の間仕切のフレーム構造によれば、電磁遮蔽する空間のフレーム構造が、上下ランナーとスタッドと接続板とによって、作業効率良く、簡単に、然も低コストで形成できることになる。
【００３０】
本願発明の間仕切のフレーム構造は、天井面に固定される金属製の上ランナーと、床面に固定される金属製の下ランナーと、上下に延在して前記上ランナーと前記下ランナーとの間に配設される複数の金属製のスタッドと、当該複数のスタッドを電気的に接続し当該スタッドに沿って配設される金網とからなる間仕切のフレーム構造であって、電磁遮蔽する空間の天井面と床面とを除く四方の面に、前記上ランナーと前記下ランナーと前記スタッドと前記金網とが配設され、前記上ランナー及び前記下ランナーは、帯状で直線状に延在する金属製平板からなる基部と、当該基部の延在方向に間隔を置き当該基部から突出された複数の金属製凸部とで構成されており、前記スタッドは前記凸部と嵌合可能に構成され、前記上ランナー同士及び前記下ランナー同士は電気的に相互に接続され、前記金網は、前記四方の面に取り付けられ、前記金網の一つの網目の対角線の長さは、遮蔽する電波の波長以下に設定され、前記上ランナー及び／又は前記下ランナーがビル内部の鉄骨と電気的に接続されていることを特徴とする。
【００３１】
前記上ランナーと前記下ランナーと前記スタッド及び前記金網とからなるフレーム構造が、遮蔽する空間の天井面と床面とを除く四方の面に配置される。ここで、天井面と床面とは、例えば電磁遮蔽材入りのコンクリートで構成されているものとする。
【００３２】
前記上ランナー、前記下ランナー、前記スタッドは前述した通りである。前記金網は、導電性があれば、金網を構成する素線の太さ、網目の模様、網目の形状、網目を構成したときの素線と素線との交差する部分の溶接方法等は問わない。従って、フェンスネット、ワイヤーメッシュ、バーメッシュ、パンチングメタルでも構わない。ここで、金網の表面に塗装等が施されていても構わないが、前記上下ランナーと前記スタッドと電気的な接続を行う部分の塗装は剥がす必要がある。また、長さの短い金網を継ぎ足して行く場合は、その繋ぎの部分で隙間ができないように注意する必要がある。繋ぎの部分での金網同士の接続は補助治具等を用いて適宜行うことができる。
【００３３】
ただし、網目の大きさは、角部と角部を結ぶ直線の内で最長の長さは、遮蔽する電磁波の波長に等しいものを用いる。つまり、網目が正方形であればその対角線、矩形状であれば長い方の対角線、網目が円形であればその直径、楕円形状であればその長軸径を、遮蔽する電磁波の波長に等しくする。三角形状の場合は、その辺の長さ、或いは各辺を底辺とした場合に高さが３つ定義できるが、その高さの内で最も高い高さを電磁遮蔽する電波の波長に等しくする。パンチングメタルを用いるのであれば、同様に、打ち抜かれる穴形状が矩形の場合はその対角線の長さを、円形状であればその直径を、楕円形状であればその長軸径を遮蔽する電磁波の波長に等しくする。
【００３４】
従って、本願発明の間仕切のフレーム構造によれば、電磁遮蔽する空間のフレーム構造が、上下ランナーとスタッドと金網を用いて作業効率良く、簡単に、然も低コストで形成できることになる。
【００３５】
本願発明の間仕切のフレーム構造は、天井面に固定される金属製の上ランナーと、床面に固定される金属製の下ランナーと、上下に延在して前記上ランナーと前記下ランナーとの間に配設される複数の金属製のスタッドと、当該複数のスタッドを電気的に接続し当該スタッドに沿って配設される金属泊とからなる間仕切のフレーム構造であって、電磁遮蔽する空間の天井面と床面とを除く四方の面に、前記上ランナーと前記下ランナーと前記スタッドと前記金属泊とが配設され、前記上ランナー及び前記下ランナーは、帯状で直線状に延在する金属製平板からなる基部と、当該基部の延在方向に間隔を置き当該基部から突出された複数の金属製凸部とで構成されており、前記スタッドは前記凸部と嵌合可能に構成され、前記上ランナー同士及び前記下ランナー同士は電気的に相互に接続され、前記金属泊は、前記四方の面に貼り付けされ、前記上ランナー及び／又は前記下ランナーがビル内部の鉄骨と電気的に接続されていることを特徴とする。
【００３６】
前記上ランナーと前記下ランナーと前記スタッド及び前記金属箔とからなるフレーム構造が、遮蔽する空間の天井面と床面とを除く四方の面に配置される。ここで、天井面と床面とは、例えば電磁遮蔽材入りのコンクリートで構成されているものとする。
【００３７】
前記上ランナー、前記下ランナー、前記スタッドは前述した通りである。金属箔は、導電性があれば、その厚さ、材質は問わない。従って、アルミニュウム箔やステンレス箔等を適宜用いることができる。ここで、金属箔は別の支持体に貼り付けられていて、その支持体を前記スタッド間に設置するようにしても良いが、この場合、前記金属箔と前記上下ランナーと前記スタッドとは確実に電気的な接続が為されるようにする。長さの短い金属箔を貼り足して行く場合は、その繋ぎの部分で隙間ができないように注意する必要がある。また、金属箔の表面に塗装等の処理が施されていても構わないが、この場合も、当該金属箔が前記上下ランナー及び前記スタッドと電気的に接続される必要がある。
【００３８】
従って、本願発明の間仕切のフレーム構造によれば、電磁遮蔽する空間のフレーム構造が、上下ランナーとスタッドと金属箔とにより作業効率良く、簡単に、然も低コストで形成できることになる。
【００３９】
本出願の間仕切のフレーム構造は、前記スタッドが、中空状の金属部材により直線上に延在して形成され、当該スタッドの両端はそれぞれ前記金属製の凸部に嵌合可能であって、前記凸部に嵌合されることで当該スタッドの延在する方向と直交する面上において位置決めされ、前記下ランナーの凸部と前記スタッドの下端は、それらを嵌合させるとその嵌合状態が保持される嵌め合いで形成され、前記上ランナーの凸部と前記スタッドの上端は、前記凸部が嵌合する方向に摺動可能に形成されていることを特徴とする。
【００４０】
従って、前記スタッドは、当該スタッドの延在する方向と直交する面上において位置決めされ、前記上ランナーの凸部と前記スタッドの上端は、前記凸部が嵌合する方向に摺動可能に形成されているので、前記スタッドの上端と前記上ランナーの基部との距離を調節することができる。
【００４１】
本出願の間仕切のフレーム構造は、前記上ランナー及び前記下ランナーの各凸部を、それらの基部が前記スタッドの両端に当接するまで嵌合させた状態において、前記上ランナーの上面と前記下ランナーの下面との間の距離は、天井面と床面との間の距離よりも短く、かつ床面上に倒した状態から前記下ランナーの下面を床面上に置いて前記上ランナーが天井面側に位置するように起立できる寸法で形成され、さらに前記上ランナーの凸部を前記スタッドとの嵌合状態を保ちつつ抜き出した状態において、前記上ランナーの上面と前記下ランナーの下面との間の距離は天井面と床面との間の距離に等しくなる寸法で形成されることを特徴とする。
【００４２】
従って、電磁遮蔽する空間の間仕切のフレーム構造を、効率良く短時間で形成することが可能である。
【００４３】
本出願の間仕切のフレーム構造は、前記凸部は、金属製平板が門型に屈曲され、当該平板の両端部が前記基部に接合して構成されることを特徴とする。両端部と前記基部との接続は、前述のようにボルト締め、スポット溶接、リベット止め、釘等によって取り付けることができる。このようにして、当該凸部を低コストで簡単に上下ランナーの基部に形成することが可能である。
【００４４】
本出願の間仕切のフレーム構造は、前記スタッドは、角形の金属中空パイプであることを特徴とする。角型の中空パイプであるので、前記凸部との嵌合が容易であり、前記接続板の配設も容易となる。さらに、当該スタッドに下地材や壁材を取り付けることも容易となる。
【００４５】
本出願の間仕切のフレーム構造は、前記基部の延在方向に間隔を置いた複数箇所に矩形状の窓が貫通形成され、前記窓の対向する二組の角部のうちの一組の角部に、前記基部の幅方向の中心を通り前記基部の延在方向に延在する中心線が位置していることを特徴とする。
【００４６】
遮蔽空間のフレーム構造を形成する場合、予めフレーム構造を形成する場所の墨出しを行うことにより墨出し線が付される。前記窓の寸法は、この墨出し線が見えれば良いので、任意に決めることができるが、当該窓を大きく形成すれば上下ランナーの基部の強度が低くなるので注意が必要である。この窓の対向する二組の角部の内の一組の角部に前記墨出し線を合わせることで上下ランナーを正規の位置に効率良く配置することができる。このようにして、上下ランナーを所定の位置に高精度で設置することが可能である。
【００４７】
本願発明の間仕切のフレーム構造は、電磁遮蔽する空間の天井面は、当該天井面の外周を囲む前記上ランナーに前記接続板を縦横に接続して構成され、前記接続板によって仕切られる矩形状の領域の対角線の長さは遮蔽する電磁波の波長以下であること、又は当該天井面の外周を囲む前記上ランナーに前記金網を配設して構成され、当該金網の一つの網目の対角線の長さは遮蔽する電磁波の波長以下であること、又は当該天井面の外周を囲む前記上ランナーに前記金属泊を配設して構成されることを特徴とする。
【００４８】
接続板、金網は直接天井面に取り付けても良いし、金属箔は直接天井面に貼り付けても良い。ただし、接続板、金網、金属箔は、上下ランナーと電気的に接続されるように構成する。天井面にも接続板又は金網又は金属箔を配置することによって、天井面からの電磁波の侵入、漏れを防ぐことができる。このようにしてより完全な遮蔽空間を形成することができる。
【００４９】
本願発明の間仕切のフレーム構造は、電磁遮蔽する空間の床面は、当該床面の外周を囲む前記下ランナーに前記接続板を縦横に接続して構成され、前記接続板によって仕切られる矩形状の領域の対角線の長さは遮蔽する電磁波の波長以下であること、又は当該床面の外周を囲む前記下ランナーに前記金網を配設して構成され、当該金網の一つの網目の対角線の長さは遮蔽する電磁波の波長以下であること、又は当該床面の外周を囲む前記下ランナーに前記金属泊を配設して構成されることを特徴とする。
【００５０】
接続板、金網は直接床面に取り付けても良いし、金属箔は直接床面に貼り付けても良い。ただし、接続板、金網、金属箔は、上下ランナーと電気的に接続されるように構成する。床面にも接続板又は金網又は金属箔を配置することによって、床面からの電磁波の侵入、漏れを防ぐことができる。このようにしてより完全な遮蔽空間を形成することができる。
【００５１】
本願発明の間仕切のフレーム構造は、電磁遮蔽する空間内に、携帯電話用の中継器を配置し、前記電磁遮蔽する空間の内部と外部とで、前記携帯電話の通話を可能としたことを特徴とする。
【００５２】
中継器は、送信機と受信機とを備えたものであって、遮蔽空間の外部から来た電波を受け、遮蔽空間内部の携帯電話に受けた電波を送信すること、及び遮蔽空間内部の携帯電話からの電波を受信し遮蔽空間の外部に電波を送信することができる機能を有するものである。この機能を実現できるなら構成は特に拘らない。従って、遮蔽空間内部に携帯電話を持ち込んでも問題なく携帯電話を使用することができる。
【００５３】
なお、前記金網は前述したようにパンチングメタルで代替えしてもよく、その場合には、当該パンチングメタルの穴形状が矩形状の場合はその対角線の長さが遮蔽する電磁波の波長以下に、又は当該パンチングメタルの穴形状が円形状の場合はその直径が遮蔽する電磁波の波長以下に、又は当該パンチングメタルの穴形状が楕円形状の場合はその長軸径が遮蔽する電磁波の波長以下とする必要がある。さらに、フェンスネットを用いてもよいが、その場合はフェンスネットの菱形の網目形状の対角線の長さは、遮蔽する電磁波の波長以下とする。
【００５４】
また、前記金属泊の替わりとして、導電性塗料を塗布して構成したものを用いてもよい。例えば、薄い樹脂板の片面に導電性塗料を塗布し、当該導電性塗料を塗布した樹脂板を前記スタッド間に設置する。この場合、導電性塗料が前記スタッド及び前記上下ランナーと電気的に接続されるように構成する。
【００５５】
電磁遮蔽する空間のフレーム構造は以下の手順により形成される。
１．電磁遮蔽する空間の墨出しを行う。床面及び天井面の両方について行う。墨出しが行われて、上下ランナーを設置する場所には墨出し線が付される。
【００５６】
２．予め工場で凸部が所定の間隔で取り付けられた上ランナー及び下ランナー、スタッド等を墨出し線の近くに搬入し、一時的にそこに配置する。
【００５７】
３．床面上で、上ランナーと下ランナーとの凸部にスタッドを嵌め込む。スタッドは上ランナー及び下ランナーの各凸部にスタッドの端部が基部に当接するまで嵌合する。嵌め込むスタッドの本数は数本程度とする。このようにして出来上がった上ランナーと下ランナーと複数本のスタッドからなるフレームを部分フレームと称する。この部分フレームは手で持って持ち運びができる大きさである。なお、工場において予め部分フレームを製作しておいて、この部分フレームを現場に搬入しても良い。なお、必要に応じて部分フレームのスタッドに接続板を取り付けておけば、現場での作業効率はさらに向上する。
【００５８】
４．部分フレームを起立させ、下ランナーの下面を床面の墨出し線に正しく配置して固定し、上ランナーはその凸部をスタッドの端部から抜き出し、天井の墨出し線に正しく配置して固定する。上ランナーの天井への固定、下ランナーの床面への固定は、止め具、釘等を用いて行うことができる。
【００５９】
５．上記の４の作業を遮蔽する空間の、天井面及び床面を除く四方の面に沿って行う。このとき、上ランナー及び下ランナーの繋ぎ合わせる部分では、電気的に接続不良とならないように、各々の端部を重ね合わせて、止め具、釘等で固定するようにする。或いは、上下ランナーの端部に形成された爪及び穴によりジョイントしても良い。
【００６０】
６．以上のようにして部分フレームを順次取り付けて行き、遮蔽する空間の天井面及び床面を除く四方の面に、上下ランナーとスタッドが形成される。その後、接続板の取り付けを行う。接続板は、前記上ランナーと前記スタッドと前記接続板とで仕切られる矩形状の領域の対角線の長さ及び前記下ランナーと前記スタッドと前記接続板とで仕切られる矩形状の領域の対角線の長さ並びに前記スタッドと前記接続板とで仕切られる矩形状の領域の対角線の長さが遮蔽する電波の波長以下となるように、複数枚取り付けるようにする。スタッドと接続板との接合は、スポット溶接、ボルト締め、リベット止め等の方法から適宜採用することができる。
【００６１】
７．電磁遮蔽する空間のフレーム構造を形成した後、前記上ランナー及び前記下ランナーの何れかの部分を、ビルを構成する内部の鉄骨と電気的に接続する。
【００６２】
なお、上記は接続板を用いて遮蔽空間を構築する場合の手順について説明したが、接続板を用いず金網又は金属箔を用いる場合は、前述の６．まで略同じである。その後、スタッドに沿わせながら、金網又は金属箔を配設する。そして、前記上ランナー及び前記下ランナーの何れかの部分をビルを構成する内部の鉄骨と電気的に接続する。
【００６３】
以上の構成とすることにより、以下の効果が期待できる。
間仕切のフレーム構造を構成する各部品（上下のランナー、スタッド、接続板又は金網又は金属箔等）を予め工場内で高い精度で形成しておき、これらを現場に搬入し、現場において部分フレームを組み立て、この組み立てた部分フレームを順次接続して行くことで、電磁遮蔽する空間の間仕切のフレーム構造が簡単に然も低コストで実現することができる。
【００６４】
この電磁遮蔽空間では、前記上ランナーと前記スタッドと前記接続板とで仕切られる矩形状の領域の対角線の長さ及び前記下ランナーと前記スタッドと前記接続板とで仕切られる矩形状の領域の対角線の長さ並びに前記スタッドと前記接続板とで仕切られる矩形状の領域の対角線の長さを波長とする電磁波は、この遮蔽された空間に侵入することができない。それ以上の長い波長の電波も同様に侵入できない。
【００６５】
接続板の替わりに金網で構成した場合には、その金網の一つの網目の対角線の長さを遮蔽する電波の波長以下とするころで、上記と同様の効果が期待できる。また、金属箔で構成した場合は、略すべての電磁波を遮蔽することができる。
【００６６】
従って、遮蔽空間内でその波長を用いて無線ＬＡＮ等を構築している場合は、その電波が遮蔽空間内から外部に漏れて行くことがなく、企業秘密の漏洩の心配もない。隣り合う空間で、同一の電波を用いても干渉や妨害の心配がない。
【発明の効果】
【００６７】
本願発明の間仕切のフレーム構造によれば、電磁遮蔽する空間のフレーム構造が、上下ランナーとスタッドと接続板又は金網又は金属箔とによって、作業効率良く、簡単に、然も低コストで形成できることになる。即ち、ビル内部の任意の場所に、高い精度で然も低コストで電磁遮蔽空間を実現することが可能となる。
【発明を実施するための最良の形態】
【００６８】
以下、図面を参照しながら、本願発明の間仕切のフレーム構造の実施の形態について説明する。
【００６９】
（第一の実施の形態）
第１図は本願発明の第一の実施の形態の間仕切のフレーム構造に係り、電磁遮蔽空間を構成するフレーム構造の概略斜視図である。電磁遮蔽する空間の天井面と床面を除く四方の面に、フレーム構造が配置されており、天井面と床面は電磁遮蔽材を含むコンクリートにより構成されている。従って、天井面と床面とからは電波の漏洩や侵入は考えなくても良い。
【００７０】
電磁遮蔽空間を構成するフレーム構造は、上ランナー１、下ランナー２、スタッド３、接続板４により形成される。以下の説明で、例えば基部１ａ、２ａと記載されている場合は、上ランナー１の基部が１ａであり、下ランナー２の基部が２ａであることを意味する。同様に、凸部１ｂ、２ｂとある場合は、１ｂは上ランナー１の凸部であり、２ｂは下ランナー２の凸部を意味する。
【００７１】
前記上下ランナー１、２は、略同一の構造で、図２（ａ）〜（ｃ）に示すように、直線状に延材する基部１ａ、２ａと、基部１ａ、２ａから突出された複数の凸部１ｂ、２ｂを備えている。前記基部１ａ、２ａは厚さが１ｍｍ程度で均一幅の帯状の平板鋼により形成されている。
【００７２】
上ランナー１同士を接続、或いは下ランナー２同士を接続するために、上下ランナー１、２の端部に、図示しないがジョイント用の穴と爪を形成している。即ち、ランナー同士を接続するときは、一方の端部に設けられたジョイント用の穴に他方の端部に設けられたジョイント用の爪を立てて差し込み、その後ジョイント用の爪を折り曲げることで接続が為される。
【００７３】
前記凸部１ｂ、２ｂは、前記上下ランナーと同じ材質の平板鋼を用いて、門型に形成し、その両端部１ｅ、２ｅを内側に折り曲げて、スポット溶接１ｄ、２ｄにより固定されている。凸部１ｂ、２ｂの大きさは、スタッド３がちょうど嵌合できる大きさである。
【００７４】
凸部１ｂ、２ｂの基部１ａ、２ａへの設置間隔は、上ランナー１とスタッド３と接続板４とで仕切られる矩形状の領域の対角線の長さ及び下ランナー２とスタッド３と接続板４とで仕切られる矩形状の領域の対角線の長さ並びにスタッド３と接続板４とで仕切られる矩形状の領域の対角線の長さが、１ｍとなるように、略０．７１ｍとした。ただし、前述の仕切られる矩形状の領域は正方形とした。これによって３００Ｍｈｚの電波の対して遮蔽空間を構成することができる。
【００７５】
前記窓１ｃ、２ｃは、図２（ｄ）に示すように、矩形状に、前記基部１ａ、２ａを貫通して形成されており、前記基部１ａ、２ａの間隔を置いた複数の箇所に適宜設けられている。この窓１ｃ、２ｃの対向する二組の角部の内、一組の角部１ｆ、２ｆに、墨出し線１０がちょうど位置するように、前記上下ランナー１、２の位置を調節することで、正規の位置に上下ランナー１、２が配置されることになる。なお、この窓１ｃ、２ｃはレーザ加工により高い精度で形成されている。
【００７６】
前記スタッド３は、図３に示すように角型の中空金属パイプを用いた。スタッド３の横幅３ａと上下ランナー１、２の幅とは略同一である。スタッド３の厚さは、当該スタッド３に取り付ける下地材や壁材などを考慮して適宜決めた。スタッド３の断面寸法と前記凸部１ｂ、２ｂとの関係は、次の通りである。スタッド３の下端と下ランナー２の凸部２ｂとは一旦嵌合するとその状態を保つように形成され、スタッド３の上端と上ランナー１の凸部１ｂとは、一旦嵌合した後に摺動できるように形成されている。つまり、上下ランナー１、２とスタッド３とを嵌合した後に、上ランナー１の上面と下ランナー２の下面との距離が調整できるように形成されている。
【００７７】
前記接続板４は、図４に示すように、前記上下ランナー１、２の基部１ａ、２ａを形成する平板鋼と同一の平板鋼を用いた。接続板の幅４ａは、前記上下ランナー１、２の幅と略同一とした。しかし、必ずしも同一とする必要はなく、電気的な導通が確保されれば幅４ａは任意に定めることができる。
【００７８】
次に、電磁遮蔽空間を形成するフレーム構造の組み立て手順について説明する。
まず、現場に上下ランナー１、２とスタッド３と接続板４を搬入する。天井面と床面に電磁遮蔽する空間の墨出しを行い、墨出し線１０を付しておく。この墨出し線１０は、フレーム構造の位置を決めるための重要な線である。
【００７９】
次に、現場において、スタッド３の下端と下ランナー２の凸部２ｂを嵌合し、スタッド３の上端と上ランナー１の凸部１ｂを嵌合する。上下ランナー１、２それぞれ一本に、数本のスタッド３が嵌合される。これにより、スタッド３の下端と下ランナー２の凸部２ｂは嵌合された状態を保持し、スタッド３の上端と上ランナー１の凸部１ｂは摺動可能に嵌合された状態の、部分フレーム８が形成される。
【００８０】
図５は、この部分フレーム８について示したものであり、平面図（ａ）、正面図（ｂ）、側面図（ｃ）である。なお、図５（ａ）〜（ｃ）において、凸部１、２ｂは、その位置を表示するために実線で示している。工場でこの部分フレーム８を組み立て、現場に搬入すれば作業効率が良い。場合によっては接続板４をスタッド３に取り付けておくことも考えられる。図５（ｄ）は、スタッド３の下端と下ランナー２の凸部２ｂとの嵌合の様子を示したものである。スタッド３は、下ランナー２の基部２ａに当接するまで嵌合されている。このようにスタッド３は、下ランナー２の凸部２ｂに嵌合することによって、スタッド３の位置決めが為される。
【００８１】
この部分フレーム８の全体の大きさは、後述するように、部分フレーム８を起立させて、上下ランナー１、２をそれぞれ天井面と床面とに固定して行くものであるから、手で持って持ち運びが可能な大きさである。その大きさは、大き過ぎては重量が大きくなり危険であるし、小さすぎては作業効率が悪くなる。従って、上下ランナー１、２にスタッド３を四本程度嵌合した大きさがちょうど良い。
【００８２】
次に、前記の部分フレーム８を墨出しした箇所において、下ランナー２が床面に、上ランナー１が天井面に位置するように、部分フレーム８を起立させる。この場合、部分フレーム８の起立が円滑に行われるように、上ランナー１の凸部１ｂをスタッド３の上端に押し込んで、上ランナー１の基部１ａをスタッド３の上端に当て付けておき、部分フレーム８の高さを低くしておく。次いで、部分フレーム８を起立させ、下ランナー２の複数の窓２ｃの一組の角部２ｆが床面に付された墨出し線１０にちょうど位置するように下ランナー２を位置決めする。そして、上ランナー１の凸部１ｂをスタッド３から引き出して天井面に当て付け、上ランナー１の複数の窓１ｃの一組の角部１ｆが天井面に付された墨出し線１０にちょうど位置するように上ランナー１を位置決めする。上記のようにして上ランナー１と下ランナー２とを位置決めした状態で、コンクリート釘によって下ランナー２と上ランナー１とをそれぞれ床面と天井面に固定する。
【００８３】
図６は、上述のようにして上ランナー１と下ランナー２をそれぞれ天井面６と床面７とに固定した様子を示す概略断面図であって、上ランナー１と下ランナー２とは、それぞれコンクリート釘５により固定されている。上ランナー１の凸部１ｂは、上ランナー１の上面と下ランナー２の下面との間の距離が、天井面６と床面７との間の距離にちょうど等しくなるように、スタッド３から少し抜け出た状態になっている。
【００８４】
図７は、部分フレーム８を３台、平面視した場合に、同一直線上に位置するように並べて設置したときの様子を示す平面図である。図７では、部分フレーム８と部分フレーム８との接続部分を一点鎖線で示した。この部分での上ランナー１同士の接続及び下ランナー２同士の接続は、上下ランナー１、２の端部に設けられたジョイント用の穴と爪（図示していない）を用いて互いに重ね合わせて行い、電気的に確実に接続されるようにした。
【００８５】
その後、接続板４をスタッド３に接続する。接続板４は、必要に応じて天井面６と床面７との間で複数枚配置される。即ち、上ランナー１とスタッド３と接続板４とで仕切られる矩形状の領域の対角線の長さ及び下ランナー２とスタッド３と接続板４とで仕切られる矩形状の領域の対角線の長さ並びにスタッド３と接続板４とで仕切られる矩形状の領域の対角線の長さが、遮蔽する電波の波長以下となるようにするために、必要に応じて複数枚接続される。スタッド３と接続板４との接続はスポット溶接により行った。
【００８６】
以上のようにして、電磁遮蔽する空間のフレーム構造が完成する。その後に、遮蔽空間の床面７の相対する二組の角部の内の一組の角部に対応する下ランナー２の端部を、ワイヤーによりビル内部の鉄骨と接続する。なお、ビル内部の鉄骨は地面と接地工事が施されているものとする。そして、フレーム構造の両側において下地材や壁材をスタッド３に取り付け、これにより間仕切が完成する。
【００８７】
本願発明の第一の実施の形態によれば、フレーム構造を構成する上下ランナー、スタッド、及び接続板は予め工場において高い精度で製作することができるので、現場で上下ランナーとスタッドを組み立てて部分フレームを製作し、或いは必要に応じて接続板をも取り付けて工場で製作しておき、現場でこの部分フレームを起立させて上下ランナーを墨出し線に合わせて設置することにより、正規の位置に高い精度で然も低コストで電磁遮蔽空間を実現するフレーム構造が形成される。
【００８８】
このフレーム構造の内部、即ち遮蔽空間内部では、前記で規定する長さ（上ランナーとスタッドと接続板とで仕区切られる矩形状の領域の対角線の長さ及び下ランナーとスタッドと接続板とで仕切られる矩形状の領域の対角線の長さ並びにスタッドと接続板とで区切られる矩形状の領域の対角線の長さ）を波長とする電波を自由に使うことができ、然もこの遮蔽空間の外部にはその電波は漏れることはない。また、遮蔽空間からその波長の電波が侵入することもない。なお、前記で規定する間隔を波長とする電波よりも高周波の電波は、当該高周波の電波の波長は前記で規定する間隔よりも短いため、この遮蔽空間に入り込み遮蔽の効果は少ない。
【００８９】
従って、電子機器を前記で規定する間隔を波長とする電波を用いて無線ネットワークを構築しておき、遮蔽空間内部で使用する携帯電話の周波数を、前記で規定する間隔を波長とする電波よりも高い周波数に設定すれば、携帯電話はこの遮蔽空間で支障なく使用できることになる。即ち、遮蔽空間内部にあっても遮蔽空間外部の携帯電話と通話することが可能である。
【００９０】
また、ビル内の隣り合う空間で、それぞれ遮蔽空間を形成すれば、同一の電波を用いても隣の空間に漏れることがないので、無線ネットワーク等が効率良く形成できる。さらに、電波が漏れないことから、会話の盗聴といった問題も生じない。
【００９１】
（第二の実施の形態）
図８は、本願発明の間仕切のフレーム構造の第二の実施の形態を説明する概略斜視図である。第一の実施の形態と異なる点は、遮蔽する空間の天井面と床面とに接続板を縦横に接続し、天井面及び床面から侵入する電波をも遮蔽する構造とした点にある。即ち、第一の実施の形態では、天井面と床面とは電磁遮蔽材入りのコンクリートで構成されているので、天井面と床面とにはフレーム構造を施す必要はなかった。第二の実施の形態では、天井面と床面とは通常のコンクリート等で構成され電磁遮蔽が施されていない場合を想定し、この天井面と床面に電磁遮蔽のためのフレーム構造を配設したものである。
【００９２】
天井面と床面に接続板を接続する前の形態は、前述の第一の実施の形態と同じである。即ち、第一の実施の形態で示したフレーム構造を形成した後に、接続板４を天井面と床面とに縦横に接続した。接続板４の上下ランナー１、２との接続、接続板４同士の接続はスポット溶接により行った。接続板４の天井面と床面への固定は、コンクリート釘により行った。
【００９３】
接続板４と接続板４とで仕切られる矩形状の領域の対角線の長さは、遮蔽する電磁波の波長となるように設定されている。同様に、上ランナー１と接続板４とで仕切られる矩形状の領域の対角線の長さ、及び下ランナー２と接続板４とで仕切られる矩形状の領域の対角線の長さは、遮蔽する電磁波の波長となるように設定されている。
【００９４】
本願発明の第二の実施の形態によれば、フレーム構造を構成する上下ランナー、スタッド、及び接続板は予め工場において高い精度で製作することができるので、現場で上下ランナーとスタッドを組み立てて部分フレームを製作し、或いは必要に応じて接続板をも取り付けて工場で製作しておき、現場でこの部分フレームを起立させて上下ランナーを墨出し線に合わせて設置し、天井面と床面とに接続板を設置することで、正規の位置に高い精度で然も低コストで電磁遮蔽空間を実現するフレーム構造が形成される。
【００９５】
本願発明の第二の実施の形態で得られる効果は、本願発明の第一の実施の形態で得られる効果と同じである。
【００９６】
（第三の実施の形態）
図９は、本願発明の間仕切のフレーム構造の第三の実施の形態を説明する概略斜視図である。第一の実施の形態及び第二の実施の形態で、電磁遮蔽する電波と、携帯電話で使われている電波が同じである場合には、この遮蔽空間内では携帯電話が使えない。そこで、この遮蔽空間内で携帯電話が使用できるように、携帯電話用の中継器を遮蔽空間内に設置した様子を示している。
【００９７】
中継器９は、携帯電話の電波を受信し、当該受信した電波を送信できるものであれば内部の構成は特に拘らない。当該中継器９は、電波を受信し送信するための外部アンテナ９ａ、内部アンテナ９ｂを有し、当該アンテナ９ａ、９ｂは遮蔽空間の内外に設置してある。遮蔽空間外部からの電波は、遮蔽空間の外部に設置した外部アンテナ９ａで受信され、中継器９を介して、遮蔽空間内部に設置された内部アンテナ９ｂにより遮蔽空間内部に送信され、遮蔽空間にある携帯電話に受信される。同様に、遮蔽空間内部にある携帯電話から送信された電波は遮蔽空間内部に設置された内部アンテナ９ｂで受信され、中継器９を介して、遮蔽空間の外部に設置された外部アンテナ９ａにより遮蔽空間外部に電波が送信される。このようにして、遮蔽空間外部にある他の携帯電話或いは中継器等と、遮蔽空間内部にある携帯電話とが交信できるようになる。
【００９８】
（第四の実施の形態）
図１０は、本願発明の間仕切のフレーム構造の第四の実施の形態を説明する概略斜視図である。第一の実施の形態及び第二の実施の形態並びに第三の実施の形態では、電磁遮蔽するために上下ランナー１、２とスタッド３と、接続板４とを用いたが、第四の実施の形態では、上記接続板４に替わって、金網４ａを用いたものである。この金網４ａは、導電性があれば、金網を構成する素線の太さ、網目の模様、網目の形状、網目を構成したときの素線と素線との交差する部分の溶接方法等は問わない。従って、フェンスネット、ワイヤーメッシュ、バーメッシュ、パンチングメタルでも構わない。なお、金網の表面に塗装等が施されていても構わないが、上下ランナー１、２とスタッド３と電気的な接続を行う部分の塗装は剥がす必要がある。
【００９９】
ただし、網目の大きさは、角部と角部を結ぶ直線の内で最長の長さは、遮蔽する電磁波の波長に等しいものを用いる。網目が円形であればその直径、楕円形状であればその長軸径は、遮蔽する電磁波の波長に等しいものを用いる。例えば、網目の対角線の長さ（長短があれば最長の方）を１２．５ｃｍとすることで、周波数２．４Ｇｈｚの電波を遮蔽することができる。
【０１００】
本実施の形態では、天井面と床面は電磁遮蔽材を含むコンクリートにより構成されている。従って、天井面と床面とからは電波の漏洩や侵入は考えなくても良いものとする。この金網４ａは、上下ランナー１、２がそれぞれ天井面と床面とに取り付けられた後に、スタッド３に沿って取り付けることができる。導電性の金網４ａをスタッド３及び上下ランナー１、２に取り付けた場合、上下ランナー１、２とスタッド３と金網４ａとは、電気的に接続される構成になっている。金網４ａとスタッド３との固定、金網４ａと上下ランナー１、２との固定は、補助治具（図示していない）を用いたボルト締め、溶接等適宜な方法を用いることができる。なお、上ランナー１或いは下ランナー２とビル内部の鉄骨との接続は、金網４ａを取り付ける前でも後でも構わない。
【０１０１】
本願発明の第四の実施の形態によれば、フレーム構造を構成する上下ランナー、スタッド、及び金網は予め工場において高い精度で製作することができるので、現場で上下ランナーとスタッドを組み立てて部分フレームを製作し、現場でこの部分フレームを起立させて上下ランナーを墨出し線に合わせて設置し、次いで金網を取り付けることで、正規の位置に高い精度で然も低コストで電磁遮蔽空間を実現するフレーム構造が形成される。
【０１０２】
本願発明の第四の実施の形態で得られる効果は、本願発明の第一の実施の形態で得られる効果と同じである。
【０１０３】
（第五の実施の形態）
図１１は、本願発明の間仕切のフレーム構造の第五の実施の形態を説明する概略斜視図である。第四の実施の形態で天井面と床面とを除く四方の面を電磁遮蔽した後に、天井面及び床面にも金網を配設したものである。天井面と床面への金網の取り付けは、必要に応じて、補助治具などを用いて行ってもよい。ただし天井面と床面とに設置した金網は、上下ランナーと電気的に接続されている。このように遮蔽空間を構築すると、遮蔽空間の六方の面からは電磁波は侵入しないし、この遮蔽空間からは漏れないこととなる。侵入しない或いは漏れない電磁波の波長は、金網の一つの網目の対角線の長さ（長短があれば長い方）以上のものである。電磁遮蔽する電波と携帯電話で使われている電波が同じである場合には、この遮蔽空間内では携帯電話が使えない。そこで、この遮蔽空間内で携帯電話が使用できるように、携帯電話用の中継器を遮蔽空間内に設置した様子を示している。
【０１０４】
中継器９は、携帯電話の電波を受信し、当該受信した電波を送信できるものであれば内部の構成は特に拘らない。当該中継器９は、電波を受信し送信するための外部アンテナ９ａ、内部アンテナ９ｂを有し、当該アンテナ９ａ、９ｂは遮蔽空間の内外に設置してある。遮蔽空間外部からの電波は、遮蔽空間の外部に設置した外部アンテナ９ａで受信され、中継器９を介して、遮蔽空間内部に設置された内部アンテナ９ｂにより遮蔽空間内部に送信され、遮蔽空間にある携帯電話に受信される。同様に、遮蔽空間内部にある携帯電話から送信された電波は遮蔽空間内部に設置された内部アンテナ９ｂで受信され、中継器９を介して、遮蔽空間の外部に設置された外部アンテナ９ａにより遮蔽空間外部に電波が送信される。このようにして、遮蔽空間外部にある他の携帯電話或いは中継器等と、遮蔽空間内部にある携帯電話とが交信できるようになる。
【０１０５】
（第六の実施の形態）
図１２は、本願発明の間仕切のフレーム構造の第六の実施の形態を説明する概略斜視図である。第一の実施の形態及び第二の実施の形態並びに第三の実施の形態では、電磁遮蔽するために上下ランナー１、２とスタッド３と、接続板４とを用い、第四の実施の形態及び第五の実施の形態では、上記接続板４に替わって、金網４ａを用いた。第六の実施の形態では、上記接続板又は金網に替わって金属箔４ｂを用いたものである。この金属箔４ｂは、導電性があれば、その厚さ、材質は問わない。従って、アルミニュウム箔やステンレス箔等を用いることができる。
【０１０６】
この金属箔４ｂは、上ランナー１と下ランナー２とをそれぞれ天井面と床面とに取り付けた後に、スタッド３に沿って貼り付けることができる。金属箔４ｂのスタッド３への貼り付けは、通常の接着剤等適宜用いることができる。この場合、金属箔４ｂにより略すべての電磁波が遮蔽されることとなる。従って、スタッド３の間隔は任意でよく、スタッド３とスタッド３との間が広すぎる場合は、適宜金属板等を設置し、それに金属箔４ｂを沿わせて貼り付けてもよい。
【０１０７】
本願発明の第六の実施の形態によれば、フレーム構造を構成する上下ランナー、スタッド、及び金網は予め工場において高い精度で製作することができるので、現場で上下ランナーとスタッドを組み立てて部分フレームを製作し、現場でこの部分フレームを起立させて上下ランナーを墨出し線に合わせて設置し、次いで金属箔を貼り付けることで、正規の位置に高い精度で然も低コストで電磁遮蔽空間を実現するフレーム構造が形成される。
【０１０８】
本願発明の第六の実施の形態で得られる効果は、本願発明の第一の実施の形態で得られる効果と同じである。なお、第六の実施の形態で、電磁遮蔽する電波と携帯電話で使われている電波が同じである場合には、この遮蔽空間内では携帯電話が使えない。そこで、この遮蔽空間内で携帯電話が使用できるようにするには、第三の実施の形態及び第五の実施の形態と同様に、その遮蔽空間内部に中継機９を設置すればよい（図示していない）。
【０１０９】
この場合、中継器９は、携帯電話の電波を受信し、当該受信した電波を送信できるものであれば内部の構成は特に拘らない。当該中継器９は、電波を受信し送信するための外部アンテナ９ａ、内部アンテナ９ｂを有し、当該アンテナ９ａ、９ｂは遮蔽空間の内外に設置してある。遮蔽空間外部からの電波は、遮蔽空間の外部に設置した外部アンテナ９ａで受信され、中継器９を介して、遮蔽空間内部に設置された内部アンテナ９ｂにより遮蔽空間内部に送信され、遮蔽空間にある携帯電話に受信される。同様に、遮蔽空間内部にある携帯電話から送信された電波は遮蔽空間内部に設置された内部アンテナ９ｂで受信され、中継器９を介して、遮蔽空間の外部に設置された外部アンテナ９ａにより遮蔽空間外部に電波が送信される。このようにして、遮蔽空間外部にある他の携帯電話或いは中継器等と、遮蔽空間内部にある携帯電話とが交信できるようになる。
【産業上の利用可能性】
【０１１０】
本発明は、ビル内で電磁遮蔽空間を、低コストで簡単に構築することが可能な間仕切のフレーム構造に関するものである。電磁遮蔽空間は、上下ランナー、スタッド、接続板により構成されるフレーム構造で間仕切られ、フレーム構造は相互に電気的に接続されてビル内部の鉄骨と接続される。従って、その空間内には特定の電磁波が侵入せず、またその空間から特定の電磁波は漏れ出さない。
【０１１１】
それ故、複数の電子機器を無線でネットワーク化している事務所や外部からの電波の侵入による誤動作があってはならない医療機器を収容している病室、手術室等に適用することが可能である。その他にも、電磁遮蔽したい場所であって、上下ランナー、スタッド、接続板を搬入してフレーム構造が製作できる空間なら何処でも適用可能である。
【図面の簡単な説明】
【０１１２】
【図１】本願発明の間仕切のフレーム構造の第一の実施の形態に係り、遮蔽空間を構成するフレーム構造の概略斜視図である。
【図２】図１の遮蔽空間を構成するフレーム構造の上下ランナーの斜視図（ａ）、平面図（ｂ）、側面図（ｃ）、上下ランナーに形成された窓の平面図（ｄ）である。
【図３】図１の遮蔽空間を構成するフレーム構造のスタッドの正面図（ａ）と断面図（ｂ）である。
【図４】図１の遮蔽空間を構成するフレーム構造の接続板の斜視図である。
【図５】図１の遮蔽空間を構成するフレーム構造の、部分フレームを示したものであって、平面図（ａ）、正面図（ｂ）、側面図（ｃ）と、下ランナーの凸部とスタッドの下端との嵌合状態を示す部分拡大断面図（ｄ）である。
【図６】部分フレームの上ランナーと下ランナーとを、それぞれ天井面と床面とに取り付けた状態を示す概略断面図である。
【図７】部分フレームを３台直線上に並べて配置した状態を示す正面図である。
【図８】本願発明の間仕切のフレーム構造の第二の実施の形態に係り、遮蔽空間を構成するフレーム構造の概略斜視図である。
【図９】本願発明の間仕切のフレーム構造の第三の実施の形態に係り、遮蔽空間を構成したフレーム構造内に携帯電話用の中継器を配置した場合の概略斜視図である。
【図１０】本願発明の間仕切のフレーム構造の第四の実施の形態に係り、遮蔽空間を構成するフレーム構造の概略斜視図である。
【図１１】本願発明の間仕切のフレーム構造の第四の実施の形態に係り、遮蔽空間を構成したフレーム構造内に携帯電話用の中継器を配置した場合の概略斜視図である。
【図１２】本願発明の間仕切のフレーム構造の第五の実施の形態に係り、遮蔽空間を構成するフレーム構造の概略斜視図である。
【符号の説明】
【０１１３】
１  上ランナー
１ａ  基部
１ｂ  凸部
１ｃ  窓
１ｄ  スポット溶接
１ｅ  両端部
１ｆ  一組の角部
２  下ランナー
２ａ  基部
２ｂ  凸部
２ｃ  窓
２ｄ  スポット溶接
２ｅ  両端部
２ｆ  一組の角部
３  スタッド
３ａ  スタッドの横幅
４  接続板
４ａ  金網
４ｂ  金属箔
５  コンクリート釘
６  天井面
７  床面
８  部分フレーム
９  中継器
９ａ  外部アンテナ
９ｂ  内部アンテナ
１０  墨出し線
【図１】
2007177389.tif 000003
【図２】
2007177389.tif 000004
【図３】
2007177389.tif 000005
【図４】
2007177389.tif 000006
【図５】
2007177389.tif 000007
【図６】
2007177389.tif 000008
【図７】
2007177389.tif 000009
【図８】
2007177389.tif 000010
【図９】
2007177389.tif 000011
【図１０】
2007177389.tif 000012
【図１１】
2007177389.tif 000013
【図１２】
2007177389.tif 000014